(57)【要約】      （修正有）【課題】襟部の厚みの大きい衣服であっても取付けを可能とし、また、襟部の上端位置にかかわらず、ネックレスの留め具の係止位置を最適に調節することができるネックレススライドストッパーを提供する。【解決手段】挟持片１１及び挟持片１２は、磁石により互いに互いに面接合して吸着自在である。挟持片１１及び挟持片１２は、互いに分離独立して設けられる。鎖部２０は、挟持片１２に基端を支持された所定長の長尺状をなす。第１〜第３の連結環３１〜３３は、鎖部２０の先端位置及び先端と基端との間の所定間隔を置いた中央位置にそれぞれ支持され、ネックレスの留め具に着脱自在である。【選択図】図３
0003143932.tif 000002
【実用新案登録請求の範囲】
【請求項１】
平坦面からなる被吸着面を有する磁石または磁石に吸着される材料から形成される被吸着部を含む第1の挟持片と、
前記第1の挟持片の被吸着面と対応して当該被吸着面と面接合自在な平坦面からなる吸着面を有する磁石から形成される吸着部を含み、前記第１の挟持片と分離独立して設けられる第２の挟持片と、
前記第1の挟持片及び第２の挟持片のいずれか一方に基端を支持された所定長の長尺状をなす長尺部材と、
前記長尺部材の先端位置及び先端と基端との間の所定間隔を置いた1以上の中央位置にそれぞれ支持され、ネックレスの留め具に着脱自在な連結部材と
を備えることを特徴とするネックレススライドストッパー。
【請求項２】
前記長尺部材は、非環状の1本の鎖状をなす鎖部からなり、前記鎖部は、その基端が前記第２の挟持片に支持されており、
前記連結部材は、前記鎖部の基端から先端に向かって１／３〜３／７の距離を置いた位置に支持される第１の連結環と、前記鎖部の基端から先端に向かって５／７〜２／３の距離を置いた位置に支持される第２の連結環と、前記鎖部の先端位置に支持される第３の連結環とを有すると共に、前記第1の連結環、第２の連結環及び第３の連結環は、ネックレスチェーンの留め具にワンタッチ装着自在なＤクリップ状をなし、
前記第１の挟持片及び第２の挟持片により衣服の襟部を内外から挟んだ状態で、前記第２の挟持片の磁力により前記第２の挟持片の吸着部の吸着面に前記第１の挟持片の被吸着面を吸着して前記衣服の襟部を挟持し、この状態で、前記第１の連結環をネックレスチェーンの留め具に装着してネックレスチェーンの留め具を支持したときに、前記第３の連結環を前記第１の連結環に係止可能としたことを特徴とする請求項１記載のネックレススライドストッパー。
【請求項３】
前記長尺部材は、非環状の1本の鎖状をなす鎖部からなり、前記鎖部は、磁石に吸着される材料から全体を形成されると共に、その基端が前記第２の挟持片に支持されており、
前記連結部材は、前記鎖部の基端から先端に向かって１／３〜３／７の距離を置いた位置に支持される第１の連結環と、前記鎖部の基端から先端に向かって５／７〜２／３の距離を置いた位置に支持される第２の連結環と、前記鎖部の先端位置に支持される第３の連結環とを有し、前記第1の連結環、第２の連結環及び第３の連結環は、磁石に吸着される材料から形成されると共に、ネックレスチェーンの留め具にワンタッチ装着自在なＤクリップ状をなし、
前記第１の挟持片及び第２の挟持片により衣服の襟部を内外から挟んだ状態で、前記第２の挟持片の磁力により前記第２の挟持片の吸着部の吸着面に前記第１の挟持片の被吸着面を吸着して前記衣服の襟部を挟持し、この状態で、前記第１の連結環をネックレスチェーンの留め具に装着してネックレスチェーンの留め具を支持したときに、前記第３の連結環及び／またはその周辺の鎖部を前記第２の挟持片に磁力により固着可能としたことを特徴とする請求項１記載のネックレススライドストッパー。
【請求項４】
前記第１の挟持片は、前記被吸着部を含む全体を磁力を有しない強磁性体から形成され、
前記長尺部材は、非環状の1本の鎖状をなす鎖部からなり、前記鎖部は、磁石に吸着される材料から全体を形成されると共に、その基端が前記第１の挟持片に支持されており、
前記連結部材は、前記鎖部の基端から先端に向かって１／３〜３／７の距離を置いた位置に支持される第１の連結環と、前記鎖部の基端から先端に向かって５／７〜２／３の距離を置いた位置に支持される第２の連結環と、前記鎖部の先端位置に支持される第３の連結環とを有し、前記第1の連結環、第２の連結環及び第３の連結環は、磁石に吸着される材料から形成されると共に、ネックレスチェーンの留め具にワンタッチ装着自在なＤクリップ状をなし、
前記第１の挟持片及び第２の挟持片により衣服の襟部を内外から挟んだ状態で、前記第２の挟持片の磁力により前記第２の挟持片の吸着部の吸着面に前記第１の挟持片の被吸着面を吸着して前記衣服の襟部を挟持し、この状態で、前記第１の連結環をネックレスチェーンの留め具に装着してネックレスチェーンの留め具を支持したときに、前記第３の連結環及び／またはその周辺の鎖部を前記第１の挟持片を通過する前記第２の挟持片の磁力により前記第１の挟持片に固着可能としたことを特徴とする請求項１記載のネックレススライドストッパー。
【請求項５】
前記鎖部は、その基端から先端まで約７０ｍｍの長さを有し、
前記連結部材は、前記鎖部の基端から約３０ｍｍの位置に支持される第１の連結環と、前記鎖部の基端から約５０ｍｍの位置に支持される第２の連結環と、前記鎖部の先端位置に支持される第３の連結環とを有すると共に、前記第1の連結環、第２の連結環及び第３の連結環は、ネックレスチェーンの留め具にワンタッチ装着自在なＤクリップ状をなすことを特徴とする請求項２乃至４のいずれか１項記載のネックレススライドストッパー。
【考案の詳細な説明】
【技術分野】
【０００１】
本考案は、ネックレスの装着者の首回りにおいてネックレスが位置ずれ（スライド）することを防止するネックレススライドストッパーに関する。
【背景技術】
【０００２】
従来、装身具として首回りに装着するネックレスが知られている。ネックレスは、ネックレスチェーンの端部に設けられた留め具（留め具）により装着者の首回りに装着自在となっている。また、ネックレスの装着状態（装着後）では、ネックレスの留め具を装着者の背面側（首の後側中央）に隠して配置することにより、ネックレストップを装着者の前面側に配置し、ネックレストップ側から留め具が見えて意匠性を損なわないようにする。なお、ネックレストップを有さずネックレスチェーンの身からなるネックレスも知られているが、この場合も、装着状態では、留め具は装着者の背面側に隠して配置される。
【０００３】
しかし、ネックレスは、装着者の所作や動きによって首回り方向に容易にずれてしまうため、装着者の知らない間にネックレスの留め具が装着者の背面側から前面側に移動することがある。この場合、前面側に見える留め具が、装身具としてのネックレスの意匠性を損なってしまう。また、ネックレスは装着者の首回りに装着されるため、装着者自身がネックレスの留め具やネックレストップの配置位置を直接目視して確認することができず、ネックレスがずれてもほとんど気づかないことが通常である。よって、装着者は、ネックレスがずれて意匠性が損なわれていてもそのことに気づくことができないため、ネックレスのずれを直すことなくそのままの状態にしていることが少なくない。他方、ネックレスの装着者がネックレスのずれに気づいてそのずれを直したとしても、ネックレスは装着者の所作や動きによって首回り方向に容易にずれてしまうため、再度位置ずれして意匠性を損なうことがある。かかるネックレスの位置ずれを防止する技術として、例えば、特許文献１に記載の技術がある。
【特許文献１】実用新案登録第３１１３６８６号公報
【０００４】
特許文献１には、ネックレスの留め具を所定の位置に確実に固定するためのネックレス用固定具が開示されている。このネックレス用固定具は、洋服を挟むことができるように全体的にクリップ状の形態をなしている。詳細には、ネックレス用固定具は、互いに対向して洋服を挟む第１挟持部分及び第２挟持部分と、これら第１挟持部分と第２挟持部分との間に延びる連結部とから構成されている。連結部は、第１挟持部分と第２挟持部分を開閉可能にするヒンジ部分とチェーンを取り付けるためのチェーン取付部とを有している。また、第１挟持部分は対向部分を磁力のある素材で構成する一方、第２把持部分は対向部分を磁力によって引き付けられる材料で構成されている。
【０００５】
また、このネックレス用固定具の使用時には、チェーン取付部にネックレスの留め具を直接または別の延長用チェーンを介して取り付け、第１把持部分と第２把持部分を開閉して洋服の襟部の縁端部を挟持した状態で固定する。そして、このネックレス用固定具によれば、第１把持部分と第２把持部分の対向部分が洋服の素材を通して磁力によって引き付けられるため、洋服を確実に挟持することができるとされている。
【考案の開示】
【考案が解決しようとする課題】
【０００６】
しかし、特許文献１に記載のネックレス用固定具は、衣服を挟持する部分（連結部により連結した第１把持部分及び第２把持部分）が全体的にクリップ状の形態をなしているため、その挟持部分は衣服の襟部の周縁部乃至縁端部以外に取り付けることができない。即ち、該ネックレス用固定具は、衣服に固定するときに、第１挟持部分と第２挟持部分とで衣服の襟部の縁端部を挟持するが、第１挟持部分と第２挟持部分とは連結部により連結されているため、該ネックレス用固定具を衣服の襟部の縁端部以外の位置に移動しようとしても、衣服の襟部の縁端部に連結部が引っかかって移動することができない。このため、該ネックレス用固定具の衣服に対する固定位置は大きく制限されることとなる。また、襟部の挟持時には、第１挟持部分及び第２挟持部分のうちのいずれかが、必ず襟部の外側に配置されて外部から見えることになり、衣服の意匠性を損なう可能性がある。この場合、挟持部分の外側にある部分（第1挟持部分及び第２挟持部分の一方）を、例えば、折襟の衣服の場合に当該折襟の外襟の裏側（外襟と内襟との間）に配置して隠そうとしても、挟持部分がクリップ状であるため挟持部分の取り付けが不可能である。
【０００７】
また、特許文献１に記載のネックレス用固定具は、上記のように、挟持部分が全体的にクリップ状の形態をなすため、衣類の襟部の縁端部にしか取り付けることができないが、衣類の襟部の縁端部であっても、その形状等により挟持部分の取り付けが困難となる可能性がある。例えば、タートルネックの場合、襟部は二重または三重に折り返して重ね合わされるため、襟部の縁端部の厚みが非常に大きくなり、連結部の長さを大きく設定しないと第１挟持部分と第２挟持部分との間で挟持することができず、一方、連結部の長さを大きく設定すると、挟持時の第1挟持部分及び第２挟持部分間の距離が大きくなりすぎ、磁力により第1挟持部分及び第２挟持部分を互いに吸着することが困難になる。
【０００８】
また、衣服着用時の襟部の位置は、衣服ごとに異なり、特に、立襟、折襟、平襟（襟なしタイプ乃至襟ぐりのみの衣服の襟相当部分をいう）等、襟のタイプ及び襟の有無によって、襟部乃至襟部相当部分の縁端部の高さ位置が大きく異なる。一方、ネックレスの装着時におけるネックレスの留め具の高さ位置はほぼ一定であり、首の後部中央の両肩線を結んだ高さ位置の付近にある。したがって、立襟や折襟の場合は、襟部の縁端部の位置がネックレスの留め具の位置より高い位置（上方位置）となると共に、通常、立襟の場合は襟部の縁端（上端）とネックレスの止め具との距離が最大となり、折襟の場合は襟部の縁端（上端）とネックレスの止め具との距離が中程度となる。また、平襟の場合は、襟部の縁端部の位置がネックレスの留め具の位置より低い位置（下方位置）となると共に、襟部の縁端（上端）とネックレスの止め具との距離が最小から中程度となる。このように、襟の有無やタイプによって襟部の縁端（上端）とネックレスの止め具との距離がそれぞれ異なるのに対し、特許文献１に記載のネックレス用固定具は、挟持部分とネックレスの留め具とを連結する鎖の長さが固定されているため、立襟のように襟部の上端とネックレスの止め具との距離が大きい衣服の場合、鎖の長さが不足してネックレス用固定具の装着が困難になる可能性があり、一方、かかる事態を想定して鎖の長さを大きめに設定すると、特に、襟の上端位置が低い折襟や平襟の場合に、装着後に鎖の長さが相当余って弛んだ状態となり、その始末に困ったり外部に露出した場合に見栄えを損なう可能性がある。
【０００９】
なお、特許文献１に記載のネックレス用固定具は、鎖に長さを調節することのできるアジャスタを設けることを開示しているが（同文献の段落００２３及び図７）、このアジャスタでは、鎖の中間部分をループ状とすることにより、鎖のループ状部分または両端部を引くことで鎖全体の長さを増減調節するようにしている。したがって、この場合も、鎖のループ状の中間部分が常に存在し、やはり、その始末に困ったり外部に露出した場合に見栄えを損なう可能性がある。
【００１０】
更に、特許文献１に記載のネックレス用固定具は、挟持部分の取付位置が衣服の襟部の上端位置に限定されるため、鎖の延びる方向（挟持部分からネックレスの止め具へ向かう方向）は、襟部の上端位置とネックレスの留め具の高さ位置との関係で一義的に決定され、襟部の上端位置がネックレスの留め具より上方にある場合は必ず下方向となり、襟部の上端位置がネックレスの留め具より下方にある場合は必ず上方向となる。しかし、襟部の上端位置とネックレスの留め具の高さ位置との関係にかかわらず、挟持部分から延びる鎖の方向を任意に設定できれば、ネックレスの留め具の係止や引張支持によるずれ止め効果を大きくしたり、また、鎖が外部に露出する場合にその意匠性を向上したりすることも可能となる。
【００１１】
そこで、本考案は、衣類の襟部を挟持する挟持部分を、襟部の縁端部に限ることなく任意の位置に取付自在とすると共に、タートルネックのような襟部の厚みの大きい衣服であっても取付けを可能とし、また、襟部の上端位置にかかわらず、ネックレスの留め具の係止位置を最適に調節することができると共に、挟持部分とネックレスの留め具とを連結する長尺部材の余分な長さを吸収することができ、更に、挟持部分からネックレスの留め具まで長尺部材の延びる方向を任意の方向に設定して見栄え等を向上することができるネックレススライドストッパーの提供を課題とする。
【課題を解決するための手段】
【００１２】
本考案に係るネックレススライドストッパーは、第１の挟持片、第２の挟持片、長尺部材及び連結部材を備える。第１の挟持片は、平坦面からなる被吸着面を有する磁石または磁石に吸着される材料から形成される被吸着部を含む。第２の挟持片は、前記第1の挟持片の被吸着面と対応して当該被吸着面と面接合自在な平坦面からなる吸着面を有する磁石から形成される吸着部を含み、前記第１の挟持片と分離独立して設けられる。長尺部材は、前記第1の挟持片及び第２の挟持片のいずれか一方に基端を支持された所定長の長尺状をなす。連結部材は、前記長尺部材の先端位置及び先端と基端との間の所定間隔を置いた1以上の中央位置にそれぞれ支持され、ネックレスの留め具に着脱自在である。
【考案の効果】
【００１３】
本考案に係るネックレススライドストッパーによれば、衣類の襟部を挟持する挟持部分を、襟部の縁端部に限ることなく任意の位置に取付自在とすることができる。また、挟持部分は、タートルネックのような襟部の厚みの大きい衣服であっても取付けが可能である。更に、襟部の上端位置にかかわらず、連結部材によるネックレスの留め具の係止位置を最適に調節することができる。加えて、本考案によれば、挟持部分とネックレスの留め具とを連結する長尺部材の余分な長さを吸収することができ、更に、挟持部分からネックレスの留め具まで長尺部材の延びる方向を任意の方向に設定して見栄え等を向上することができる。
【考案を実施するための最良の形態】
【００１４】
以下、本考案を実施するための最良の形態（以下、「実施の形態」という。）を説明する。なお、各実施の形態を通じ、同一の部材、要素または部分には同一の符号を付して、その説明を省略する。
【００１５】
図１〜図７は実施の形態１に係るネックレススライドストッパーを各種方向から見て示す。図１〜７に示すように、実施の形態１に係るネックレススライドストッパーは、挟持手段１０と、挟持手段１０から延びる鎖部２０と、鎖部２０に一体的に取り付けられた連結部材３１〜３３とを備える。挟持手段１０は、互いに対向した一対の挟持片１１及び挟持片１２からなる。挟持片１１，１２は、横長の角丸長方家状の平板状または楕円形状の平板状等をなしている。なお、挟持片１１，１２の全体形状は、例えば、角丸三角形状や角丸五角形状等の角丸多角形状、角丸としない三角形状や矩形状等の多角形状もしくは星型やハート型等の意匠性を有するような形状とすることもできる。また、挟持片１１及び挟持片１２は基本的に（後述する取付部１３を除き）同一構成となっており、前記角丸長方形状または楕円形状の外形を有する基部１１ａと、基部１１ａの内側面において長さ方向両側にそれぞれ埋設状態で一体的に配設した一対の磁石１１ｂとを有している（挟持片１１側のみ図示）。各磁石１１ｂは、角丸正方形状の平板上をなし、例えば、ステンレス鋼等の金属製の基部１１ａの成形時に埋設して一体化される。磁石１１ｂとしては、アルニコ磁石、フェライト磁石、サマリウムコバルト磁石、ネオジム磁石等、任意のものを使用可能である。ここで、挟持片１１，１２の全体を磁石として構成することもできる。
【００１６】
ここで、本発明に係るネックレススライドストッパーは、挟持片１１，１２の一方に磁石１１ｂを設けず、全体を基部１１ａと同様のステンレス鋼等の強磁性体材料により上記形状に形成することもできる。即ち、ネックレススライドストッパーは、第１の挟持片（挟持片１１及び挟持片１２の一方）が平坦面からなる被吸着面を有する磁石１１ｂまたは磁石１１ｂに吸着される材料から形成される被吸着部を含むと共に、第２の挟持片（挟持片１１及び挟持片１２の他方）が第1の挟持片の被吸着面と対応して当該被吸着面と面接合自在な平坦面からなる吸着面を有する磁石１１ｂｂから形成される吸着部を含む構成とすることができる。この場合、第２の挟持片の磁石１１ｂが吸着部を構成し、磁石１１ｂの露出面（内側面）の全体が吸着面を構成する。また、第１の挟持片の磁石１１ｂに対応する部分（図７中の磁石１１ｂ対応部分）が被吸着部を構成し、当該磁石対応部分の内側面が被吸着面を構成する。
【００１７】
更に、挟持片１２は、幅方向一側縁中央位置に、当該幅方向一側縁に固着されて略四角環状となる取付部１３を一体的に設けている。取付部１３には、所定長の長尺状をなす長尺部材としての鎖部２０の基端が離脱不能に支持されている。即ち、実施の形態１の長尺部材は、非環状の1本の鎖状をなす鎖部２０からなり、挟持片１２にのみ当該鎖部２０の基端が支持されている。詳細には、鎖部２０は、小円環状のリング２１を鎖２２の一端に離脱不能かつ回動・移動自在に係止して支持すると共に、当該リング２１を取付部１３に離脱不能かつ回動・移動自在に支持して挟持片１２に一体的に連結されている。また、鎖部２０全体（リング２１及び鎖２２）は、ステンレス鋼等の強磁性体材料により形成されている。
【００１８】
鎖部２０の先端位置及び先端と基端との間の所定間隔を置いた１以上の中央位置には、それぞれ、前記リング２１が離脱不能かつ回動・移動自在に支持されると共に、それぞれのリング２１には、それぞれ、連結部材として、第１の連結環３１、第２の連結環３２、第３の連結環３３が離脱不能かつ回動・移動自在に支持されている。１の連結環３１、第２の連結環３２、第３の連結環３３は、それぞれ、ネックレス５０のネックレスチェーン５１の留め具である留め具５２に着脱自在となっている。具体的には、第１の連結環３１を支持するリング２１は、鎖部２０の基端から先端に向かって１／３〜３／７の距離を置いた基端側中間位置に支持されている。また、第２の連結環３２を支持するリング２１は、鎖部２０の基端から先端に向かって５／７〜２／３の距離を置いた先端側中間位置に支持されている。更に、第３の連結環３３を支持するリング２１は、鎖部２０の先端位置に支持されている。これにより、第１の連結環３１、第２の連結環３２及び第３の連結環３３も、各リング２１を介して、鎖部２０の基端から先端に向かって１／３〜３／７の距離を置いた基端側中間位置、鎖部２０の基端から先端に向かって５／７〜２／３の距離を置いた先端側中間位置及び鎖部２０の先端位置に、それぞれ支持される。鎖部２０に対する連結環３１，３２，３３の取付位置を上記位置とすると、後述するように、いずれかの連結環３１,３２,３３を選択することで、襟部の種類にかかわらず、最適な位置、姿勢及び状態でネックレスの留め具を支持することができる。また、第１の連結環３１、第２の連結環３２、第３の連結環３３は、同一構成であり、ネックレスチェーン５１の留め具５２にワンタッチ装着自在なＤクリップ状をなしている。即ち、第１の連結環３１、第２の連結環３２、第３の連結環３３は、それぞれ、弾力により開閉自在な開閉部３１ａ，３２ａ，３３ａを有し、開閉部３１ａ，３２ａ，３３ａを押圧して開放することによりネックレス５０の留め具５２を装着自在であり、かつ、装着後は押圧部３１ａ，３２ａ，３３ａが弾性復帰して閉じ、留め具５２を離脱不能とする。
【００１９】
ここで、好ましくは、鎖部２０は、その基端から先端まで約７０ｍｍの長さを有するよう構成し、連結部材として、鎖部２０の基端から約３０ｍｍの位置に第１の連結環３１を支持し、鎖部２０の基端から約５０ｍｍの位置に第２の連結環を支持し、鎖部２０の先端位置に第３の連結環を支持する。こうすると、各種衣服の襟部の種類に応じて、第１〜第３の連結環３１，３２，３３のいずれにより、最も適切な位置、姿勢及び状態でネックレスの留め具を支持することができる。この場合、鎖部２０は、取付部１３から３０ｍｍ、２０ｍｍ、２０ｍｍの間隔を置いた位置に第１〜第３の連結環３１，３２，３３を順に配置することになる。
【００２０】
上記いずれの場合も、挟持片１１と挟持片１２とは分離独立して設けられ、図１〜図６に示すように、磁石１１ｂの磁力により、被吸着面に吸着面を磁力吸着して、互いに接合自在となっている。即ち、両挟持片１１，１２は、長尺部材としての鎖部２０やその他のいかなる連結手段によっても互いに連結または接続されることなく、互いに独立して自由に移動自在となっている。これにより、一対の挟持片１１，１２からなる挟持手段１０は、衣類の襟部の任意の位置に着脱自在となっている。即ち、挟持片１１及び挟持片１２を、衣類の襟部（例えば、折襟の場合の内襟）の表面側と裏面側とを両側から挟むよう対向配置すると、挟持片１１及び挟持片１２は、磁石１１ｂの磁力によって衣類の襟部を介して互いに引き付け合って接合し、衣類の襟部を挟持すると共に、衣類の襟部の布地との間の摩擦力によりそのままの状態を維持する。その結果、挟持片１１及び挟持片は、衣類の襟部を挟持した状態でそのままの位置に固定されることとなる。
【００２１】
図９、図１２〜図１５は、本考案の実施の形態１に係るネックレススライドストッパーの各種の装着例を示す正面図である。なお、図９、図１２、図１３では、説明の便宜上、ネックレススライドストッパーとネックレス５０の留め具５２との関係を示すため、襟部６１，７１の外襟６１ａまたは外側部７１ａの後部中央部を（仮想的に）矩形状に切欠いて外襟６１ａまたは外側部７１ａの内部（内襟６１ｂまたは内側部７１ｂの表面）を示すと共に、当該切欠部分を（円形の一点鎖線内に）拡大して示す。
【００２２】
［第１の装着例］
図９に示すネックレス５０の装着例では、衣服６０の襟部である折襟６１の外側からネックレス５０を装着しており、この場合、通常は、ネックレス５０の留め具５２は折襟６１の後部中央の基端付近に配置される。なお、図９の折襟６１としては、比較的高さの低い折襟６１を想定している。ここで、ネックレススライドストッパーを使用してネックレス５０の首回り方向のずれ止めをする場合、挟持片１１を折襟６１の内襟６１ｂの内側面に配置すると共に、挟持片１２を折襟６１の内襟６１ｂの外側面において挟持片１１と対向する位置に配置し、両挟持片１１，１２を磁石１１ｂの磁力により互いに接合する。すると、図１０及び図１１に示すように、両挟持片１１，１２が、折襟６１の内襟６１ｂを挟んだ状態で内襟６１ｂに固定される。このとき、挟持片１１，１２は、内襟６１ｂの上端部付近に配置して折襟６１内部に完全に隠すようにすることが意匠上好ましい。或いは、最初は両挟持片１１，１２を内襟６１ｂの下端部付近で互いに接合し、その後、内襟６１ｂに沿って上方にずらして内襟６１ｂの上端部付近に配置してもよい。この場合も、挟持片１１，１２は、磁力により内襟６１ｂを挟んだ状態で互いに接合しているため、位置変更が容易であり、かつ、連結手段等を介して互いに連結されていない（機械的連結状態にない）にもかかわらず、挟持片１１，１２が折襟６１から脱落することはない。
【００２３】
次に、比較的高さの低い折襟６１の場合、上記基端側中間位置に配置されて鎖部２０の基端に最も近い下方位置にある第１の連結環３１を使用して、当該第１の連結環３１をネックレス５０の留め具５２に係止して連結する。即ち、第１の連結環３１の開閉部３１ａを指先でつまんでネックレス５０の留め具５２に押し当てての弾性力に抗して開放し、留め具５２内に装着した後、開閉部３１ａを弾性復帰して閉じる。この第１の連結権３１と留め具５２との連結時に、留め具５２までの鎖部２０の長さが不足する場合は、磁力による接合状態の挟持片１１，１２を下方にずらして容易に位置調整することができる。その後、鎖部２０の余長部分（第１の連結環３１より先端側の鎖部２０）は、第３の連結環３３またはその周辺部分（リング２１または鎖２２）を挟持片１２の外側面に配置することにより、磁石１１ｂの磁力により挟持片１２に吸着保持することができる。こうすると、鎖部２０の余長部分を、図９に示すように、折襟６１の内部（外襟６１と内襟６１bとの間）に完全に隠れた状態で保持することができ、ネックレス５０の意匠性や衣服６０全体の意匠性に影響を及ぼすことがない。なお、鎖部２０の下端部（先端部）が折襟６１の下端縁から下方に露出する場合は、挟持片１１，１２を更に上方に移動することにより、ネックレススライドストッパーの全体を折襟６０内部に完全に隠すことができる。
【００２４】
このように、鎖部２０（鎖２２若しくはリング２１の少なくともいずれか一方）または連結環３１，３２，３３を磁石に吸着される材料（強磁性体）から形成した場合、挟持片１２に磁石１１ｂが設けられているため、挟持片１１及び挟持片１２により衣服６０の折襟６１の内襟６１ｂを内外から挟んだ状態で、挟持片１２の磁力により挟持片１２の吸着部の吸着面（磁石１１ｂの露出面）に挟持片１１の被吸着面（磁石１１ｂの露出面またはその周辺部位）を吸着して衣服６１の折襟６１の内襟６１ｂを挟持し、この状態で、第１の連結環３１をネックレスチェーン５１の留め具５２に装着してネックレスチェーン５１の留め具５２を支持したときに、第３の連結環３３及び／またはその周辺の鎖部２０を挟持片１２に磁力により固着することができる。
【００２５】
一方、実施の形態１の挟持片１１，１２の構成を変更して、磁石１１ｂを挟持片１２には設けずに挟持片１１にのみ設け、挟持片１１の磁石１１ｂを吸着部として挟持片１２には吸着部に対応する（強磁性体の）被吸着部を設ける構成とすることもできる。即ち、挟持片１２は、被吸着部を含む全体を磁力を有しない強磁性体から形成することもできる。しかし、この場合でも、挟持片１１及び挟持片１２により衣服６０の折襟６１を内外から挟んだ状態で、挟持片１１の磁力により挟持片１１の吸着部である磁石１１ｂの吸着面に挟持片１２の被吸着面を吸着して衣服６０の折襟６１の内襟６１ｂを挟持し、この状態で、第１の連結環３１をネックレスチェーン５１の留め具５２に装着して連結支持したときに、第３の連結環３３及び／またはその周辺の鎖部２０を挟持片１２を通過する挟持片１１の磁石１１ｂの磁力により挟持片１２に固着することができる。この変更例の場合、挟持片１１，１２による折襟６１の挟持前、即ち、挟持片１１，１２の取付時には、鎖部２０や連結環３１〜３３が挟持片１２に磁力吸着することがなく、それらの取り扱いが容易となる一方、挟持片１１，１２による折襟６１の挟持後は、挟持片１１からの磁力が挟持片１２を通過して挟持片１２の外側面側にも及ぶため、第１〜第３の連結環３１〜３３や鎖部２０の挟持片１２への磁力吸着が可能となり、それらの始末を容易に行うことができる。なお、上記折襟６１と同等の高さの立襟やその他の襟部の場合も、図９と同様にしてネックレススライドストッパーによるずれ止めを行うことができる。
【００２６】
［第２の装着例］
図１２に示すネックレス５０の装着例では、やはり、衣服６０の襟部である折襟６１の外側からネックレス５０を装着しているが、図１２の折襟６１としては、比較的高さの高い折襟６１を想定している。ここで、ネックレススライドストッパーを使用してネックレス５０の首回り方向のずれ止めをする場合、図９の場合と同様にして、挟持片１１及び挟持片１２により折襟６１の内襟６１ｂの上端部付近を挟持し、挟持片１１，１２を折襟６１内部に完全に隠すようにする。次に、比較的高さの高い折襟６１の場合、上記先端側中間位置に配置されて鎖部２０の基端から２番目の下方位置にある第２の連結環３２を使用して、上記第１の連結環３１の場合と同様にして、当該第２の連結環３２をネックレス５０の留め具５２に係止して連結する。その後、鎖部２０の余長部分（第２の連結環３１より先端側の鎖部２０）は、第３の連結環３３を（留め具５２の連結に使用されずにその上方に位置する）第１の連結環３２に係止支持することができる。こうすると、鎖部２０の余長部分を、図１２に示すように、折襟６１の内部（外襟６１ａと内襟６１bとの間）に完全に隠れた状態で保持することができ、ネックレス５０の意匠性や衣服６０全体の意匠性に影響を及ぼすことがない。なお、上記折襟６１と同等の高さの立襟やその他の襟部の場合も、図１２と同様にしてネックレススライドストッパーによるずれ止めを行うことができる。或いは、図１２のような高さの襟部の場合、図９のように第１の連結環３１を留め具５２に連結してネックレス５０のずれ止めを行うことも無論可能である。この場合も、上記のように、第３の連結環３３またはその周辺部を挟持片１２に磁力により吸着して、ネックレススライドストッパーの全体を襟部の内部に隠すことが好ましい。
【００２７】
［第３の装着例］
図１３に示すネックレス５０の装着例では、やはり、タートルネック付きの衣服７０の襟部であるタートルネック７１の外側からネックレス５０を装着しているが、図１３のタートルネック７は、図１２の折襟６１よりも更に高さの高いものを想定している。ここで、ネックレススライドストッパーを使用してネックレス５０の首回り方向のずれ止めをする場合、図９の場合と同様にして、挟持片１１及び挟持片１２によりタートルネック７１の内側部７１ｂの上端部付近を挟持し、挟持片１１，１２をタートルネック７１内部に完全に隠すようにする。次に、最も高さの高いタートルネック７１の場合、上記先端位置に配置されて鎖部２０の基端から最も下方の位置にある第３の連結環３３を使用して、上記第１の連結環３１の場合と同様にして、当該第３の連結環３３をネックレス５０の留め具５２に係止して連結する。この場合も、鎖部２０の全長を、図１３に示すように、タートルネック７１の内部（外側部７１ａと内側部７１bとの間）に完全に隠れた状態で保持することができ、ネックレス５０の意匠性や衣服６０全体の意匠性に影響を及ぼすことがない。なお、上記タートルネック７１と同等の高さの折襟や立襟やその他の襟部の場合も、図１３と同様にしてネックレススライドストッパーによるずれ止めを行うことができる。或いは、図１３のような高さの襟部の場合、図９または図１２のように第１の連結環３１または第２の連結環を留め具５２に連結してネックレス５０のずれ止めを行うことも無論可能である。この場合も、上記のように、第３の連結環３３またはその周辺部を挟持片１２に磁力により吸着して、或いは、第１の連結環３１に係止して、ネックレススライドストッパーの全体を襟部の内部に隠すことが好ましい。
【００２８】
［第４の装着例］
図１４に示すネックレス５０の装着例では、ネックレス５０は、一般的な女性用のブラウスタイプの衣服８０であって比較的襟ぐりの浅い（襟部の位置が比較的高い）タイプの平襟８１の縁端部の内側に配置されるよう装着されている。この場合、ネックレス５０の後側部分は、平襟８１の縁端部の若干下方位置（内側位置）で縁端部に沿って隠れた状態で装着されている。ここで、ネックレススライドストッパーを使用してネックレス５０の首回り方向のずれ止めをする場合、ネックレス５０の留め具５２よりも下方位置となるよう、平襟８１の後部中央部の端縁から所定距離（例えば、挟持片１２と第１の連結環３１との間の距離）を置いた下方位置で、挟持片１２を平襟８１の内側に配置すると共に、挟持片１１を平襟８１の外側で挟持片１２に対向する位置に配置し、挟持片１２と挟持片１１とを磁石１１ｂの磁力により互いに接合して平襟８１を挟持する。次に、比較的襟ぐりの浅い平襟８１の場合、第１の連結環３１をネックレス５０の留め具５２に係止して連結する。この場合も、第３の連結環３３またはその周辺部分を挟持片１２の外側面（図１４の場合は装着者の背中に対向する面）に磁力吸着することにより、鎖部２０及び第１〜第３の連結環３１〜３３の全長を、図１４に示すように、平襟８１の内部に完全に隠れた状態で保持することができ、ネックレス５０の意匠性や衣服８０全体の意匠性に影響を及ぼすことがない。このとき、挟持片１１のみ平襟８１の外側に露出するが、ネックレススライドストッパーのその他の部分は全て平襟８１の内側に隠されているため、特に衣服８０の意匠を損なうことはなく、逆に、単独で存在するワンポイント状の挟持片１１により衣服８０の背面において独特の意匠的効果を発揮することも期待できる。
【００２９】
［第１５の装着例］
図１５に示すネックレス５０の装着例では、ネックレス５０は、一般的な女性用のブラウスタイプの衣服８０であって比較的襟ぐりの深い（襟部の位置が比較的低い）タイプの平襟９１の縁端部の内側に配置されるよう装着されている。この場合、ネックレス５０の後側部分は、平襟９１の縁端部の上方位置（外側位置）で首周り方向に沿って外部に露出
した状態で装着されている。ここで、ネックレススライドストッパーを使用してネックレス５０の首回り方向のずれ止めをする場合、平襟８１の後部中央部の端縁から所定距離（例えば、挟持片１２と第１の連結環３１との間の距離）を置いた下方位置で、図１４の場合と同様にして、挟持片１２と挟持片１１との間で平襟９１を挟持する。次に、比較的襟ぐりの深い平襟９１の場合、第３の連結環３３をネックレス５０の留め具５２に係止して連結する。この場合、鎖部２０が挟持片１２からネックレス５０の留め具５２まで直線的に略展張状態で延びるよう、挟持片１１，１２の位置を調整する。このとき、挟持片１１及び鎖部２０の先端部分が平襟８１の外側に露出するが、ネックレススライドストッパーのその他の部分は全て平襟９１の内側に隠されているため、特に衣服８０の意匠を損なうことはなく、また、ワンポイント状の挟持片１１及び上下方向に直線状に伸びる鎖部２０の先端部により衣服９０の背面において独特の意匠的効果を発揮することも期待できる。更に、ネックレス５０の留め具５２に第３の連結環３３ではなく第２の連結環３２や第１の連結環３１を連結することにより、留め具５２を介してネックレスチェーン５１を下方にその長さ分だけ引っ張り、ネックレスヘッド５３の高さ位置を通常の位置より上方に移動することができ、例えば、平襟９１の前側部の襟ぐりの位置や装着者の首周り寸法等に応じてネックレスヘッド５３の高さ位置が好みの位置にない場合にその位置を調整することもできる。更に、挟持片１１，１２の位置を下方にずらすことにより、ペンダントヘッド５３の更なる高さ位置調整が可能となる。これは、図１４の場合も同様であり、第１の連結環３１を留め具５２に連結した場合でも、挟持片１１，１２の位置を下方にずらすことにより、ペンダントヘッド５３の高さ位置調整が可能となる。
【００３０】
上記のように、本発明に係るネックレススライドストッパーによれば、挟持片１１及び挟持片１２が互いに分離独立しているため、衣服の襟部の縁端部以外の任意の位置に取付けることができ、その固定位置を自由に変更して最適な位置でネックレス５０の留め具５２に連結することができる。また、折襟の場合は挟持片１１及び挟持片１２の一方を内襟の内側面に配置すると共に他方を外襟と内襟との間に配置することができ、挟持片１１，１２が襟部の外部に露出することがないため、衣服の意匠性を損なうことがない。更に、鎖部２０の余長部分の先端部等を挟持片１２に磁力吸着したり、第３の連結環３３をその他の連結環３１，３２に連結することにより、鎖部２０及び第１〜第３の連結環３１〜３３の全体を襟部の内部に完全に隠すことができ、これらの部材も衣服の意匠性に与えることはない。
【００３１】
また、本発明に係るネックレススライドストッパーによれば、挟持片１１及び挟持片１２を分離独立して襟部の縁端部以外の任意の位置に取付けることができるため、タートルネックのように二重または三重に折り返して重ね合わされる襟部の場合も、最も内側の襟部（装着者の首に最も近い内襟相当部分）を挟持片１１，１２で挟持することにより、通常の襟部の場合と同様、１枚の布地の厚さ分の襟部を挟持することができ、挟持片１１，１２の磁力吸着により当該襟部を確実に挟持することができる。
【００３２】
更に、本発明に係るネックレススライドストッパーによれば、立襟、折襟、平襟等、襟部の縁端部の高さ位置が大きく異なる場合でも、挟持片１１，１２の固定位置を自由に調整して最適な位置でネックレス５０の留め具５２に連結することができる。このとき、鎖部２０が襟部の外部に露出する場合でも、鎖部２０が弛まないように挟持片１１，１２の位置を調整することにより、鎖部２０による衣服やネックレスの意匠性への影響を最低限に抑えることができる。
【００３３】
加えて、本発明に係るネックレススライドストッパーによれば、挟持片１１，１２の取付位置が固定されないため、襟部の上端位置とネックレス５０の留め具５２の高さ位置との関係にかかわらず、挟持片１１，１２から延びる鎖部２０の方向を任意に設定することができ、ネックレス５０の留め具５２の係止や引張支持によるずれ止め効果を大きくしたり、また、鎖部２０が外部に露出する場合にその意匠性を向上したりすることが可能となる。例えば、襟部の縁端部がネックレス５０の留め具５２より上方に位置する場合でも、挟持片１１，１２を留め具５２より下方位置に配置して鎖部２０が上方に延びるようにすることもでき、或いは、鎖部２０が斜め方向に伸びるよう挟持片１１，１２を配置することもできる。
【００３４】
ところで、本発明に係るネックレススライドストッパーでは、第１の挟持片は、少なくとも中央部等の面の一部を被吸着面として、外周部等のそれ以外の面を非吸着面としてもよく、或いは、その全面を非吸着面としてもよい。即ち、第１の挟持片は、被吸着部を中央部等の一部に設けてもよく、或いは、全体を被吸着部としてもよい。また、第１の挟持片は、実施の形態１のように被吸着部を磁石に吸着（吸引）される材料（鉄等の強磁性体）から形成してもよく、被吸着部自体を磁石により形成してもよい。即ち、一対の挟持片は、どちらか一方に磁石からなる吸着部を設けると共に、他方に強磁性体からなる被吸着部をもうければよい。
【００３５】
また、第２の挟持片は、第1の挟持片の被吸着面と対応して当該被吸着面と面接合自在な平坦面とする限りにおいて、吸着面を被吸着面と同一面寸法・同一面形状としたり、被吸着面より大きな面寸法・面形状として被吸着面を完全に包囲するようにしたり、逆に、被吸着面より小さな面寸法・面形状として被吸着面に完全に包囲されるようにしてもよい。即ち、第２の挟持片は、吸着部を被吸着部と同一形状及び同一寸法とする以外に、各種の態様が可能である。更に、第２の挟持片の吸着部は、磁石（永久磁石）から形成されるが、第２の挟持片は、全体を吸着部としたり、中央部等の一部を吸着部としてもよい。また、第２の挟持片は、第１の挟持片と分離独立して、即ち、長尺部材やクリップ連結具等のいかなる連結手段によっても互いに連結または接続されることなく、第1の挟持片とは独立して自由に移動自在とされる限りにおいて、他の態様とすることもできる。
【００３６】
更に、第１の挟持片及び第２の挟持片は、被吸着面及び吸着面の磁力吸着を可能にする限りにおいて、平板状以外に、ブロック状等任意の形状とすることができるが、襟部への装着性及び装着後の襟部の意匠性の点からは、平板状とすることが好ましい。また、長尺部材としての鎖部は、第1の挟持片及び第２の挟持片のいずれか一方に基端を支持された所定長の長尺状（ひも状、鎖状等）とする限りにおいて、任意の態様とすることができるが、意匠性を向上したり挟持片への磁力吸着を可能にする点では、ステンレス鋼等の意匠性を有する強磁性体金属材料製の鎖状とすることが好ましい。更に、連結部材は、長尺部材の先端位置及び先端と基端との間の所定間隔を置いた1以上の中央位置にそれぞれ支持され、ネックレスの留め具に着脱自在な限りにおいて、任意の態様とすることができるが、ネックレスの留め具への装着容易性の点からはＤクリップ状とすることが好ましい。更にまた、鎖部の余長部分を挟持片に磁力吸着する構成としない場合、鎖部及び連結環は、磁石に吸着されない材料（常磁性材料または弱磁性材料）で形成してもよい。
【００３７】
また、鎖部の余長部分を始末する場合、第２の連結環３２をネックレス５０の留め具５２に装着して支持したときに、第３の連結環３３を第１の連結環３１に係止可能としてもよく、第３の連結環３３及び／またはその周辺の鎖部２０を第２の挟持片１２に磁力により支持可能としたり、第３の連結環３３及び／またはその周辺の鎖部２０を第２の挟持片１２を通過する第１の挟持片１１の磁力により第２の挟持片１２に固着可能としてもよい。
【図面の簡単な説明】
【００３８】
【図１】図１は本考案の実施の形態１に係るネックレススライドストッパーの正面図である。
【図２】図２は本考案の実施の形態１に係るネックレススライドストッパーの背面図である。
【図３】図３は本考案の実施の形態１に係るネックレススライドストッパーの右側面図である。
【図４】図４は本考案の実施の形態１に係るネックレススライドストッパーの左側面図である。
【図５】図５は本考案の実施の形態１に係るネックレススライドストッパーの平面図である。
【図６】図６は本考案の実施の形態１に係るネックレススライドストッパーの底面図である。
【図７】図７は本考案の実施の形態１に係るネックレススライドストッパーの一対の挟持片を互いに離間した状態を示す斜視図である。
【図８】図８は本考案の実施の形態１に係るネックレススライドストッパーの一対の挟持片を離間し、かつ、第３の連結環をネックレスの留め具に連結した状態を示す斜視図である。
【図９】図９は本考案の実施の形態１に係るネックレススライドストッパーの第１の装着例を示す正面図であり、要部を拡大して示す。
【図１０】図１０は本考案の実施の形態１に係るネックレススライドストッパーの使用状態を側方から見て示す側面図であり、襟部を断面にて示す。
【図１１】図１１は本考案の実施の形態１に係るネックレススライドストッパーの使用状態を上方から見て示す平面図であり、襟部を断面にて示す。
【図１２】図１２は本考案の実施の形態１に係るネックレススライドストッパーの第２の装着例を示す正面図であり、要部を拡大して示す。
【図１３】図１３は本考案の実施の形態１に係るネックレススライドストッパーの第３の装着例を示す正面図であり、要部を拡大して示す。
【図１４】図１４は本考案の実施の形態１に係るネックレススライドストッパーの第４の装着例を示す正面図であり、要部を拡大して示す。
【図１５】図１５は本考案の実施の形態１に係るネックレススライドストッパーの第５の装着例を示す正面図であり、要部を拡大して示す。
【符号の説明】
【００３９】
１１：挟持片、１１ｂ：磁石（吸着部）、１２：挟持片、２０：鎖部（長尺部材）
３１：第１の連結環（連結部材）、３２：第２の連結環（連結部材）
３３：第３の連結環（連結部材）、
【図１】
0003143932.tif 000003
【図２】
0003143932.tif 000004
【図３】
0003143932.tif 000005
【図４】
0003143932.tif 000006
【図５】
0003143932.tif 000007
【図６】
0003143932.tif 000008
【図７】
0003143932.tif 000009
【図８】
0003143932.tif 000010
【図９】
0003143932.tif 000011
【図１０】
0003143932.tif 000012
【図１１】
0003143932.tif 000013
【図１２】
0003143932.tif 000014
【図１３】
0003143932.tif 000015
【図１４】
0003143932.tif 000016
【図１５】
0003143932.tif 000017